(57)【特許請求の範囲】
【請求項１】
水平方向の廃材ログを垂直方向に積み上げて側壁を構成したログハウス構造の第１の仮設家屋と、水平方向の廃材ログを垂直方向に積み上げて側壁を構成したログハウス構造の第２の仮設家屋と、これら第１の仮設家屋と第２の仮設家屋の間に設けられる仮設多用途空間とから構成され、前記第１および第２の仮設家屋の側壁を構成する水平方向廃材ログの前記仮設多用途空間側の端部は、１本おきに突出する端部とそれより凹入する端部をもつ凹凸状に形成され、仮設多用途空間は、それが前記第１および第２の仮設家屋の内部に連通する部分を除き、外部に対し隔壁により隔離されており、前記仮設多用途空間の隔壁も、水平方向の廃材ログを垂直方向に積み上げて構成され、この隔壁の廃材ログ端部は、１本おきに突出する端部とそれより凹入する端部をもつ凹凸状に形成され、前記隔壁の凹凸状端部が前記第１および第２の仮設家屋の側壁の凹凸状端部と互いに噛み合うように係合されて連結され、
前記廃材ログの端部にあって、それと交差する方向の廃材ログと嵌合させるノッチ構成部を備え、ノッチ構成部は端部に近い外側ノッチ構成部と端部から遠い内側ノッチ構成部とからなっていることを特徴とする災害時緊急仮設建築物。
【請求項２】
第１および第２仮設家屋の側壁および仮設多用途空間の隔壁をそれぞれ構成する水平方向廃材ログの凹凸状に互いに噛み合う端部を垂直方向に貫通して連結ロッドが挿入され、この連結ロッドによって前記隔壁と前記側壁が連結されていることを特徴とする請求項１記載の災害時緊急仮設建築物。
【発明の詳細な説明】
【０００１】
【発明の属する技術分野】
本発明は、地震等の災害時の被災者、難民、住宅困窮者が臨時に入居する災害時緊急仮設建築物に関する。
【０００２】
【従来の技術】
地震等の災害時に、被害を受けた人達が臨時に入居する災害時緊急仮設住宅としては、プレハブ家屋が多く用いられている。
【０００３】
【発明が解決しようとする課題】
このような、プレハブ家屋は災害時緊急仮設住宅として普段から準備をしておくことができるが、比較的高価であるから、十分な戸数を常に用意しておく訳にはいかない。したがって、地震等の災害が大規模で被災者が多数にわたり、必要戸数が多い場合には直ちに準備するのは困難である。また、特に発展途上国で災害が発生した場合に、我が国から当該発展途上国へ緊急に多数の仮設家屋を送ろうとしても予算および時間の関係上、必要戸数のプレハブ家屋の準備ができない場合が当然生じる。このため、大規模災害の際には、我が国においてもまた発展途上国においても、被災者がすべて入居できる戸数を準備するまでに日にちが掛かるのが従来一般的でああった。
【０００４】
本発明は上述の課題を解決するためになされたもので、その課題は、災害時にプレバブ家屋より安価にしかも迅速に被害者に提供することができる災害時緊急仮設建築物を提供することにある。
【０００５】
【課題を解決するための手段】
上記課題を解決する本発明の災害時緊急仮設建築物は、水平方向の廃材ログを垂直方向に積み上げて側壁を構成したログハウス構造の第１の仮設家屋と、水平方向の廃材ログを垂直方向に積み上げて側壁を構成したログハウス構造の第２の仮設家屋と、これら第１の仮設家屋と第２の仮設家屋の間に設けられる仮設多用途空間とから構成され、前記第１および第２の仮設家屋の側壁を構成する水平方向廃材ログの前記仮設多用途空間側の端部は、１本おきに突出する端部とそれより凹入する端部をもつ凹凸状に形成され、仮設多用途空間は、それが前記第１および第２の仮設家屋の内部に連通する部分を除き、外部に対し隔壁により隔離されており、前記仮設多用途空間の隔壁も、水平方向の廃材ログを垂直方向に積み上げて構成され、この隔壁の廃材ログ端部は、１本おきに突出する端部とそれより凹入する端部をもつ凹凸状に形成され、前記隔壁の凹凸状端部が前記第１および第２の仮設家屋の側壁の凹凸状端部と互いに噛み合うように係合されて連結されていることを特徴とする。
【０００６】
第１および第２仮設家屋の側壁および仮設多用途空間の隔壁をそれぞれ構成する水平方向廃材ログの凹凸状に互いに噛み合う端部を、垂直方向に貫通して連結ロッドを挿入し、この連結ロッドによって前記隔壁と前記側壁を連結するのがよい。
【０００７】
また、廃材ログには、それと交差する方向の廃材ログと嵌合させるために廃材ログ端部にノッチ構成部を設け、ノッチ構成部は端部に近い外側ノッチ構成部と端部から遠い内側ノッチ構成部とから構成するようにしても良い。
【０００８】
【発明の実施の形態】
次に本発明の実施の形態について説明する。
図１は、災害時緊急仮設建築物の実施の形態を示す。この災害時緊急仮設建築物は、第１の仮設家屋Ｈ１と、第２の仮設家屋Ｈ２と、第１の仮設家屋Ｈ１と第２の仮設家屋Ｈ２の間に設けられる仮設多用途空間Ｓとから構成され、これが１ユニットとなっている。第１の仮設家屋Ｈ１および第２の仮設家屋Ｈ２は、被災者の住居となる部分であり、仮設多用途空間Ｓは、種々の家事作業を行ったり、他の任意の目的に供せられる部分である。当然のことながら、第１の仮設家屋Ｈ１および第２の仮設家屋Ｈ２には、屋根Ｒ、側壁Ｗ，基礎Ｂが設けられる。第１の仮設家屋Ｈ１および第２の仮設家屋Ｈ２は大きさ等を除けば基本的に同じ建造物であるので、その詳細な構造については第１の仮設家屋Ｈ１のみについて説明する。
【０００９】
本発明によれば、仮設家屋Ｈ１の側壁Ｗは、水平方向の廃材ログを垂直方向に積み上げて構成されている。すなわち、側壁Ｗは、いわゆるログ建築物の側壁と同じ構造の側壁である。側壁Ｗを構成するログは、古くなって解体した家屋の柱や梁などの廃材である。このような廃材はわが国で年間６００万トンも排出されているが、燃料、パルプの原料等として僅かに使用されているほかは、利用価値が殆ど無く、その処理に困っているのが現状である。そのほか、使用可能のログとしては、間伐材、風倒木等がある。このような廃材は同じサイズ、形状のものを選んで使用する。また、同じサイズ、形状の廃材でも寸法を調整する必要があればそのようにする。廃材の断面形状は四角形、他の多角形、円形いずれでもよい。このような廃材はそれを水平方向に置いてログハウス状に垂直方向に積み重ねることができればそれでよい。
【００１０】
側壁Ｗを構成する廃材の例を図２に示す。図２では廃材は四角形断面の角材として示してあるが、廃材はホゾ穴等があるから、その部分には木片を埋め込んで表面を平滑にし、かつ仮設家屋の内面になる部分には鉋をかける等して新しい木目を出し綺麗にするのが好ましい。以下、このような廃材を廃材ログと呼ぶ。図２において、水平方向廃材ログは符号２ａおよび２ｂで示す。水平方向廃材ログ２ａ、２ｂにより構成される側壁Ｗの、前記仮設多用途空間Ｓ側の端部は、廃材ログの１本おきに、突出する端部３ａとそれより凹入する端部３ｂをもつ凹凸状に形成される。端部３ｂが端部３ａより凹入する距離は、各廃材ログの断面の水平方向寸法にほぼ等しくなるようにするのが望ましい。廃材ログ２ａの突出する端部３ａには上下方向に貫通孔４が形成される。これらの貫通孔４は上下方向に位置が合うように一線状に設けられている。
【００１１】
図１に示すように、仮設多用途空間Ｓは、それが第１仮設家屋Ｈ１および第２仮設家屋Ｈ２の内部に連通する部分を除き、外部に対し隔壁Ｐにより隔離されている。この隔壁Ｐは、この実施の形態では、第１および第２の仮設家屋Ｈ１、Ｈ２の両側の側壁と同一平面をなすように平面状をなして設けられている。すなわち、第１および第２の仮設家屋Ｈ１、Ｈ２の互いに向き合う側面は開放されるか、適当な出入口を持つように形成され、第１および第２の仮設家屋Ｈ１、Ｈ２の互いに向き合う側面の間に形成されるスペースを外部に対して仕切るように、前後１対をなすように前記隔壁Ｐ、Ｐが設けられている。
【００１２】
これらの隔壁Ｐ、Ｐも、側壁Ｗの場合と同様に、水平方向の廃材ログ４ａ、４ｂを上下方向に積み上げて構成されている。そして、廃材ログ４ａ、４ｂにより構成される隔壁Ｐの端部は、１本おきに突出する端部５ｂとそれより凹入する端部５ａをもつ凹凸状に構成されている。そして、突出する端部５ｂには、上下方向に位置の合う貫通孔６が形成されている。隔壁Ｐの凹凸状端部は、図２に示すように凹凸関係が側壁Ｗの凹凸状端部とは逆になっており、側壁Ｗの凹凸状端部に隔壁Ｐの凹凸状端部が互いに噛み合うように係合されて連結されるようになっている。すなわち、側壁Ｗの凹入する端部３ｂによって形成される凹部に、隔壁Ｐの突出する端部５ｂが挿入、係合され、その際に貫通孔４および貫通孔６の位置を上下方向に合わせ、それらの貫通孔４、６に上下方向に長い連結ロッド（図２で便宜的にセンターライン１０で示す）を挿通し、連結ロッド１０の端部にナットなどをねじ込む等の緊締手段で、側壁Ｗと隔壁Ｐを相互に連結する。なお、連結手段としては、フック、その他の公知の連結材を含む他の任意の手段を用いることもできる。
【００１３】
このようにして、仮設家屋Ｈ１、Ｈ２の側壁Ｗ同士は、隔壁Ｐ、Ｐによって図１に示すように連結され、外部に対して隔離された 仮設多用途空間Ｓが形成される。この仮設多用途空間Ｓ内は、隔壁Ｐ、Ｐにより外部に対し目隠しされるので、多くの用途に用いることができる。仮設多用途空間Ｓは図２に示すように天井のない開放空間としておくこともできるが、必要によっては布製等の適当な簡易屋根を付けることも可能である。この仮設多用途空間Ｓは、独立家屋としての仮設家屋Ｈ１、Ｈ２を設置した後、その間の空き空間を利用して単に１対の隔壁Ｐ、Ｐを追加的に施工するのみで、居住可能な新たな空間を形成できるので、災害のような緊急事態発生時に、最低限の資材を用いて最も広い居住空間を創生できる点できわめて優れている。また、資材として廃材ログを用いるので、低価格で経済的に災害時緊急仮設建築物を短期間（たとえば数時間）で施工することが可能となり、さらに、被災者や難民自身が組立て、施工を行うことも可能である。
【００１４】
ログハウス構造におけるログの公知の組み合せ方を図５および図６に示す。図５に示す構造では、ログ側壁が交差する隅角部の位置で、対をなして交差するログＬの少なくとも一方にノッチＮが形成され、このノッチＮの内部に他方のログＬの外面がはめ込まれ、これによって、上下方向に隣接するログＬ、Ｌ間に隙間が残ることが防止される。図５の例では、ログＬは丸太であり、ノッチＮは丸ノッチである。一方、図６に示すログハウス構造ではログＬの交差部にスクエアノッチと呼ばれる角型ノッチＮが形成される。角型ノッチＮは、ログＬの全周面を削り取って芯部に長方形の角材部２０を残したものである。この他にも、ログへのノッチの切り方には種々の方法がある。
【００１５】
図２および図４に示したように、廃材ログにより構成される側壁Ｗに、廃材ログの１本おきに、突出する端部３ａとそれより凹入する端部３ｂをもつ凹凸形状を与えるには、各廃材ログを組み立ての前にそのような寸法に予め切断しておくことが考えられる。しかし、次のようなやり方で凹凸形状を与えるようにすると、一層便利である。
【００１６】
凹凸形状を与えるに便利な方法の一例を図７に示す。この例では、ログＬの各端部に２つのノッチＮ１、Ｎ２がログの長手方向に直列に並んで予め形成される。ノッチＮ２はログの端面に近い外側ノッチであり、Ｎ１はログの端面から遠い位置にある内側ノッチである。なお、図７ではノッチＮ１、Ｎ２の形状は図６のような角型として示してあるが、丸ノッチや任意形状のノッチとすることができる。なお、図５に示すような丸ノッチの場合にはノッチはログの下側面にのみ形成される。
【００１７】
このように端部に２つのノッチをもつログを用いて図４に示すような凹凸形状をもつ側壁を構成する一例を図９に示す。図９は図２の側壁Ｗに相当する図であり、突出する端部３ａをもつログ２ａと、凹入する端部３ｂをもつログ２ｂとが１本おきに設けられている。ログ２ａ、２ｂは総括的に符号Ｌで示される。また、側壁Ｗを構成するログＬに交わるログは符号Ｌａにより示してある。図９の配置では、突出する端部３ａをもつログ２ａの内側ノッチＮ１を、交差するログＬａに嵌め、凹入する端部３ｂをもつログ２ｂの外側ノッチＮ２を、交差するログＬａに嵌めている。このように、ログ２ａ、２ｂをそれぞれ内側ノッチＮ１および外側ノッチＮ２を用いて、交差するログＬａに嵌めることによって、突出する端部３ａと凹入する端部３ｂからなる凹凸形状が自動的に構成されることになる。したがって、組み立て施工はより短時間で行うことができる。なお、各端部におけるノッチの数は２個に限らず３個以上とすることもで、さらに左右のノッチの数を異ならせることもできる。
【００１８】
ところで、ログの両端部にそれぞれ２個宛のノッチを形成すると、図９に示すように組み立てに用いられないノッチが存在し、側壁が弱くなったり、隙間が形成されたりする欠点が生じる。これを防ぐためには、ログの端部の２つのノッチに相当する箇所に図８に示すように位置表示２３のみを施しておき、実際に用いるノッチのみを現場で位置表示に従って加工するようにするのがよい。位置表示２３は例えば墨付けによって行うことができる。
【００１９】
また、場合によっては、図９に示すように使用されないで外部に露出したり、隙間を形成したりするノッチＮ１，Ｎ２内に、ノッチ形成の際に切り落とした木片を嵌め込んで、タボを打ち込むか接着材を用いるかして木片を元の位置に固定することにより、ログを元の形状に戻しておくこともできる。また、これに代って、ノッチ形成の際に切り落とした木片を再び元の位置に嵌めこんでタボを打ち込むこと等により固定しておき、施工、組み立て時に使用するノッチのみの木片をのみで外すようにすることもできる。なお、上述のように外側および内側ノッチを用いる構成の原理は、側壁Ｗのみではなく、隔壁Ｐを構成する際にも用いることができる。
【００２０】
上述のように、ノッチに関しては、現実にノッチを形成する場合、ノッチの位置を表示する場合、ノッチを形成してから、ノッチから除去した木片を元の位置に取り付けておく場合等があるが、これらの場合を総称してノッチ構成部と呼ぶ。
【００２１】
図３および図４は本発明の他の実施の形態を示す。この実施の形態の図１および図２の実施の形態との相違点は、仮設多用途空間Ｓを仕切る隔壁Ｐの一方が図３でみて手前側（外側）に張り出ていることである。すなわち、手前側の隔壁Ｐは図１の場合のように１枚板状ではなく、平面でみてコ字状をなしている。このようにコ字状隔壁を形成するには、仮設家屋Ｈ１、Ｈ２の側壁Ｗの凹凸状端部に隔壁Ｐの凹凸状端部を、図４に示すように角度（例えば９０度）をなして係合させればよい。すなわち、側壁Ｗの凹入部に隔壁Ｐの突出部を角度をなして挿入し、貫通孔４、６に連結ロッド１０を挿通して緊締する。コ字状隔壁Ｐの隔壁部分Ｐ１と隔壁部分Ｐ２との連結も図４に示す態様で行うことができる。なお、コ字状以外の隔壁の形成も同じ原理を用いて実現することができ、さらに、図３における奥側の隔壁Ｐも平面状以外の任意の形状をとらせることができる。図３および図４において、図１および図２と同じ符号は同一部分を示す。
【００２２】
以上に述べた実施の形態では、仮設家屋は２軒でその間に仮設多用途空間が形成されるようになっているが、これが１ユニットであって、このようなユニットを複数組み合わせて大きな仮設建築物を構築することができる。すなわち、３軒以上の仮設家屋を配置し、それらの間に隔壁を形成して仮設多用途空間を設けることによって、災害時緊急仮設建築物の施工区域を大きく広げることができ、多数の被災者の収容を可能にすることができる。
【００２３】
以上に述べたようにして、仮設建築物を構成した後、必要によって隅角部の出っ張り部分を切り取ったりして、建築部の外形を整えることは必要に応じて自由に行えばよい。また、上述のようにして施工した仮設建築物に、天水のろ過装置、太陽光、風力利用設備、適当なライフライン等を設置することができる。
【００２４】
【発明の効果】
以上に実施の形態について説明した請求項１に記載の発明によれば、プレバブ家屋より安価にしかも迅速に災害時被害者に提供することができる災害時緊急仮設建築物が提供される。
【００２５】
また、請求項２の発明によれば、廃材ログの組み立てが容易かつ確実になり、請求項３に記載の発明によれば、廃材ログの所要構成をもった組み立て施工が迅速になる。
【図面の簡単な説明】
【図１】本発明の災害時緊急仮設建築物の一実施の形態の斜視図。
【図２】図１に示す災害時緊急仮設建築物の側壁と隔壁の詳細を示す斜視図。
【図３】本発明の災害時緊急仮設建築物の他の実施の形態の斜視図。
【図４】図３に示す災害時緊急仮設建築物の側壁と隔壁の詳細を示す斜視図。
【図５】ログの組み立て方の一例を示す斜視図。
【図６】ログの組み立て方の他の一例を示す斜視図。
【図７】ログに形成されるノッチの一例を示す図。
【図８】ログに形成されるノッチ位置の表示の例を示す図。
【図９】図７に示すログを用いて形成した側壁の一例を示す正面図。
【符号の説明】
Ｈ１  第１の仮設家屋
Ｈ２  第２の仮設家屋
Ｗ  側壁
Ｐ  隔壁
Ｓ  仮設多用途空間
Ｒ  屋根
２ａ  水平方向の廃材ログ
２ｂ  水平方向の廃材ログ
３ａ  突出する端部
３ｂ  凹入する端部
４  貫通孔
４ａ  水平方向の廃材ログ
４ｂ  水平方向の廃材ログ
５ａ  凹入する端部
５ｂ  突出する端部
６  貫通孔
１０  連結ロッド
Ｎ１  ノッチ
Ｎ２  ノッチ
Ｌ    ログ
Ｌａ  交差方向のログ
【図１】
0004427648.tif 000002
【図２】
0004427648.tif 000003
【図３】
0004427648.tif 000004
【図４】
0004427648.tif 000005
【図５】
0004427648.tif 000006
【図６】
0004427648.tif 000007
【図７】
0004427648.tif 000008
【図８】
0004427648.tif 000009
【図９】
0004427648.tif 000010